(57)【特許請求の範囲】
【請求項１】
パラペット上を覆うようにパラペットの所定位置に埋設されたアンカープラグに対しねじ止めされるアルミニウム製の笠木と、笠木の上に一体に設けられたブラケットに下端が支持されるアルミニウム製の雪庇切笠木とからなり、前記ブラケットは笠木の水平板部上に形成されて鉛直立ち上がり部の上端外側に係合溝を備えた外側支持部と、鉛直立ち上がり部の上端に前記外側支持部側に傾斜する傾斜片を備えるとともに鉛直立ち上がり部の高さ方向中間部に前記外側支持部側とは反対側に水平に突出する突出片を備えた内側支持部とからなり、前記雪庇切笠木は鉛直方向に向く外壁板と、この外壁板の上端から下向きに傾斜する内壁板と、この内壁板の下端に内壁板の傾斜角と同角度で同方向に傾斜し前記内側支持部の傾斜片に外面に裏面が当接するように設けられた凹条部と、前記外壁板と内壁板との間に補強板部と、前記外壁板の下端内面に前記外側支持部の係合溝に係合するように設けられた係合片とから構成され、前記外壁板の下端内面の係合片を前記外側支持部の係合溝に係合させた状態で前記傾斜片に対し凹条部をねじ止めしてなることを特徴とする雪庇切笠木の取り付け部構造。
【請求項２】
笠木はパラペットの上端面を後側部においてほぼ３分の１程度覆う水平板部と、この水平板部の後端部に下向きに直角に連設されパラペットの外壁面上端を覆う下向き板部とからなることを特徴とする請求項１記載の雪庇切笠木の取り付け部構造。
【請求項３】
笠木はパラペットの上端面を全幅に亘って覆うように作られていることを特徴とする請求項１記載の雪庇切笠木の取り付け部構造。
【発明の詳細な説明】
【技術分野】
【０００１】
本発明は、建物の屋上の周囲に設けられるパラペットの上端に設けられる雪庇切笠木の取り付け部構造に関するものである。
【背景技術】
【０００２】
従来のこの種雪庇切笠木の取り付け部構造としては、例えば特許文献１に開示されているように、建物の屋上のパラペットの幅よりもやや大き目に作られてパラペット上にねじ止めされた笠木ブラケットに係止されて取り付けられる笠木と、この笠木の下側で前記笠木ブラケットから位置をずらしてパラペット上にねじ止めされ上面が笠木の裏面に当接するように取り付けられるベースプレートと、このベースプレートに頭部が支持され軸部が前記笠木の孔部を上向きに貫通するボルトと、前記笠木の孔部から上方に突出する軸部に孔部が嵌合し軸部にナットを螺合させることにより前記笠木上に取り付けられる雪庇切笠木用のブラケットと、前記笠木上に載せられるように前記雪庇切笠木用のブラケットに下端部が支持された雪庇切笠木とからなるものが知られている。
【特許文献１】特開２００４−１３１９２４号公報
【発明の開示】
【発明が解決しようとする課題】
【０００３】
しかしながら、上記特許文献１に開示されている雪庇切笠木の取り付け部構造は、笠木の上に雪庇切笠木を取り付けるためにベースプレートや雪庇切笠木用のブラケットが必要であり、部品点数が多く、またこれらを取り付けるための手間が必要で、コストアップになるという問題があった。
【０００４】
本発明の目的は、このような課題を解決するものであり、別部品としてのベースプレートや雪庇切笠木用のブラケットを不要とし、またそれらを取り付ける作業も不要としてコストダウンを図るようにした雪庇切笠木の取り付け部構造を提供することにある。
【課題を解決するための手段】
【０００５】
本発明の請求項１に記載の雪庇切笠木の取り付け部構造は、パラペット上を覆うようにパラペットの所定位置に埋設されたアンカープラグに対しねじ止めされるアルミニウム製の笠木と、笠木の上に一体に設けられたブラケットに下端が支持されるアルミニウム製の雪庇切笠木とからなり、前記ブラケットは笠木の水平板部上に形成されて鉛直立ち上がり部の上端外側に係合溝を備えた外側支持部と、鉛直立ち上がり部の上端に前記外側支持部側に傾斜する傾斜片を備えるとともに鉛直立ち上がり部の高さ方向中間部に前記外側支持部側とは反対側に水平に突出する突出片を備えた内側支持部とからなり、前記雪庇切笠木は鉛直方向に向く外壁板と、この外壁板の上端から下向きに傾斜する内壁板と、この内壁板の下端に内壁板の傾斜角と同角度で同方向に傾斜し前記内側支持部の傾斜片に外面に裏面が当接するように設けられた凹条部と、前記外壁板と内壁板との間に補強板部と、前記外壁板の下端内面に前記外側支持部の係合溝に係合するように設けられた係合片とから構成され、前記外壁板の下端内面の係合片を前記外側支持部の係合溝に係合させた状態で前記傾斜片に対し凹条部をねじ止めしてなることを特徴とする。
【０００６】
請求項２に記載の雪庇切笠木の取り付け部構造は、笠木はパラペットの上端面を後側部においてほぼ３分の１程度覆う水平板部と、この水平板部の後端部に下向きに直角に連設されパラペットの外壁面上端を覆う下向き板部とからなることを特徴とする。
【０００７】
請求項３に記載の雪庇切笠木の取り付け部構造は、笠木はパラペットの上端面を全幅に亘って覆うように作られていることを特徴とする。
【発明の効果】
【０００８】
以上のように、本発明の雪庇切笠木の取り付け部構造は、雪庇切笠木を支持するブラケットは笠木の水平板部上に一体に形成されているので、別部品としてのベースプレートや雪庇切笠木用のブラケットを不要とし、またそれらを取り付ける作業も不要としてコストダウンを図ることができる。
【発明を実施するための最良の形態】
【０００９】
以下、本発明の実施の形態を、図面に基づいて具体的に説明する。
先ず、図１〜図３に示す第１の実施の形態について説明すると、１は鉄筋コンクリート造りの建物の屋上の周囲に設けられるパラペットで、このパラペット１は上端から内壁面に亘って防水材２で覆われている。３は防水材２の上からパラペット１の後側部を覆うように設けられるアルミニウム製の笠木で、この笠木３の上には雪庇切笠木４の下端を支持するブラケット５が一体に設けられている。前記笠木３は前記パラペット１の上端面を後側部においてほぼ３分の１程度覆う水平板部６と、この水平板部６の後端部に下向きに直角に連設されパラペット１の外壁面上端を覆う下向き板部７とからなり、前記水平板部６上に鉛直立ち上がり部８の上端外側に係合溝９を備えた外側支持部１０と、鉛直立ち上がり部１１の上端に前記外側支持部１０側に傾斜する傾斜片１２を備えるとともに鉛直立ち上がり部１１の高さ方向中間部に前記外側支持部１０側とは反対側に水平に突出する突出片１３を備えた内側支持部１４とからなるブラケット５が一体に形成されている。
【００１０】
前記雪庇切笠木４も笠木３と同様にアルミニウム製で、この雪庇切笠木は鉛直方向に向く外壁板１５と、この外壁板１５の上端から下向きに傾斜する内壁板１６と、この内壁板１６の下端に内壁板１６の傾斜角と同角度で同方向に傾斜し前記内側支持部１４の傾斜片１２に外面に裏面が当接するように設けられた凹条部１７と、前記外壁板１５と内壁板１６との間に水平方向に設けられた上側の補強板部１８と、前記外壁板１５と凹条部１７の上端部との間に水平方向に設けられた下側の補強板部１９と、前記下側の補強板部１９から下側に延びる前記外壁板１５の下端内面に前記外側支持部１０の係合溝９に係合するように設けられた係合片２０とから構成されている。
【００１１】
前記笠木３は防水材２の上からパラペット１の後側部を覆うように載置され、パラペット１の所定位置に埋設されたアンカープラグ２１に雄ねじ部材２２を螺入させることによりパラペット１上に固定される。この笠木３の上には前述のようにブラケット５が一体に設けられており、このブラケット５に対し前記雪庇切笠木４を取り付ける。詳しくは、雪庇切笠木４の外壁板１５の下端内面の係合片２０はブラケット５の外側支持部１０の係合溝９に係合し、凹条部１７の裏面は内側支持部１４の傾斜片１２に当接して凹条部１７を傾斜片１２に雄ねじ部材２３により固定することによりブラケット５に支持される。そして、前記凹条部１７には凹条部１７を隠すように見切板２４が嵌め込まれてセットされ、この見切板２４の下端に取り付けたパッキン２５を前記防水材２の上面に押し当てている。以上のようにブラケット５に支持された雪庇切笠木４の外壁板１５の下端は前記笠木３の下向き板部７の上端に外側から重なり、外壁板１５は笠木３の下向き板部７とほぼ面一状に揃うようになる。なお、前記笠木３や雪庇切笠木４はパラペット１の全長に亘って配設されるものである。
【００１２】
次に、図４に示す第２の実施の形態について説明すると、前記第１の実施の形態では笠木３はパラペット１の上端面を後側部においてほぼ３分の１程度覆う大きさに作られているが、第２の実施の形態のように笠木３はパラペット１の上端面を全幅に亘って覆う大きさに作られていても良い。他の構成は前記第１の実施の形態と同様である。
【図面の簡単な説明】
【００１３】
【図１】本発明の第１の実施の形態における笠木の斜視図である。
【図２】同雪庇切笠木の取り付け状態を示す側面断面図である。
【図３】同雪庇切笠木の取り付け状態を示す途中破断斜視図である。
【図４】本発明の第２の実施の形態における雪庇切笠木の取り付け状態を示す側面断面図である。
【符号の説明】
【００１４】
１          パラペット
２          防水材
３          笠木
４          雪庇切笠木
５          ブラケット
６          水平板部
７          下向き板部
８          鉛直立ち上がり部
９          係合溝
１０          外側支持部
１１          鉛直立ち上がり部
１２          傾斜片
１３          突出片
１４          内側支持部
１５          外壁板
１６          内壁板
１７          凹条部
１８，１９    補強板部
２０          係合片
２１          アンカープラグ
２２          雄ねじ部材
２３          雄ねじ部材
２４          見切板
２５          パッキン
【図１】
0004827617.tif 000002
【図２】
0004827617.tif 000003
【図３】
0004827617.tif 000004
【図４】
0004827617.tif 000005